Podtech/llm-jp-corpus-v4-ja_patent huggingface dataset:
(57)【要約】【課題】表示装置の各種取付を１種類の部材で行うこと。【解決手段】壁にネジ止め可能にする孔を備えた第１の取付板へ片２と、前記第１の取付板片２に勘合され回転可能な第２の取付板片３から構成される取付板４と、表示手段１ｄと、操作手段１ｃと、外部と通信を行うための接続手段を備えた本体の背面に前記取付板４を勘合可能に構成することにより、表示装置の壁取付や据置が１種類の取付部材で可能になる。【選択図】図１
2005243891.tif 000002
【特許請求の範囲】
【請求項１】
壁にネジ止め可能にする取付孔を備えた第１の取付板片と、前記第１の取付板片に勘合され回転可能な第２の取付板片から構成される取付板と、表示手段と、操作手段と、外部と通信を行うための接続手段を備えた本体の背面に前記取付板を勘合可能に構成したことを特徴とする表示装置。
【請求項２】
本体下面に取付板を勘合可能に構成したことを特徴とする請求項１記載の表示装置。
【発明の詳細な説明】
【技術分野】
【０００１】
本発明は操作手段を備えた表示装置において、設置時の取り付けの選択を容易にする表示装置に関するものである。
【背景技術】
【０００２】
従来、この種の表示装置は本体を壁や据え置きするために、それぞれ専用の取り付け装置を使用している（例えば、特許文献１参照）。
【０００３】
図５は、特許文献１に記載された従来の表示装置の取り付け装置を示すものである。図５に示すように、装置本体６を壁に取り付ける場合には取付部材８を壁に取り付け、更に装置本体６には取付部材７を取り付けた上で、取付部材７を取付部材８に勘合させて壁に取り付けるように構成している。また、図示はしないが据置する場合には前記取付部材６、取付部材７を使用せずに装置本体６をそのまま置くように構成されている。
【特許文献１】特開平６−６９９９４号公報
【発明の開示】
【発明が解決しようとする課題】
【０００４】
しかしながら、前記従来の構成では、表示装置を壁に取り付ける場合や据え置きで使用するために取り付け装置を各々準備する必要が発生したり、また取り付けによっては何れかの取り付け装置が無駄になるという課題を有していた。
【０００５】
本発明は、前記従来の課題を解決するもので、一つの取り付け装置により本体を壁取り付けや据え置きで使用可能にする表示装置を提供することを目的とする。
【課題を解決するための手段】
【０００６】
前記従来の課題を解決するために、本発明の表示装置は壁にネジ止め可能にする孔を備えた第１の取付板と、前記第１の取付板片に勘合され回転可能な第２の取付板片から構成される取付板と、表示手段と、操作手段と、外部と通信を行うための接続手段を備えた本体の背面に前記取付板を勘合可能に構成したものである。
【０００７】
これによって、一つの取付板により本体を壁面や据え置きとして使用できるため、取り付け方法によって取付装置を無駄にすることなく使用することが可能となる。
【０００８】
また、本発明の表示装置は、本体下面に取付板を勘合可能に構成したものである。
【０００９】
これによって、表示装置を立てた状態で据え置きが可能となる。
【発明の効果】
【００１０】
本発明の表示装置は１種類の取付板により本体を壁面や据え置きとして使用できるため、取り付け方法によって取付装置を無駄にすることなく使用することが可能となる。
【発明を実施するための最良の形態】
【００１１】
第１の発明は、壁にネジ止め可能にする孔を備えた第１の取付板片と、前記第１の取付板片に勘合され回転可能な第２の取付板片から構成される取付板と、表示手段と、操作手段と、外部と通信を行うための接続手段を備えた本体の背面に前記取付板を勘合可能に構成することにより、１つの取付板により本体を壁や据え置きに設置することが可能となる。
【００１２】
第２の発明は、本体下面に取付板を勘合可能に構成することにより、１つの取付板により２種類の据え置きに設置することが可能となる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における表示装置の取り付けを示すものである。
【００１５】
図１（ａ）において、１は表示装置本体であり、背面に第１の取付板片２と第２の取付板片３が勘合された取付板４が、表示装置本体１の背面の勘合用突起部１ａ，１ｂと勘合され、図１（ｂ）に示すように取付板４は壁５に固定されている。また、本体には操作部１ｃ、表示部１ｄや外部機器との通信用のためのインタフェース１ｇなどを備えている。
【００１６】
図２（ａ）、（ｂ）は、それぞれ本発明の第１の実施の形態における表示装置の本体の背面と取付板との詳細を示す図である。
【００１７】
図２（ａ）に示すように、本体１の背面には勘合用突起部１ａ，１ｂが備えられている。また、図２（ｂ）に示すように、取付板４は壁にネジ止め可能にするための取付孔２ａ、２ｂを有し、第１の取付板片２と第２の取付板片３が勘合部３ａ，３ｂで勘合され、回転可能に構成されている。
【００１８】
図３は、本発明の第１の実施の形態における表示装置の据え置きの詳細を示す図であり、取付板片４は取付板片２と取付板片３の勘合部を回転させることにより、表示装置１本体を斜めに設置することが可能となる。
【００１９】
（実施の形態２）
図４は、本発明の第２の実施の形態における表示装置の取り付けを示すものである。
【００２０】
図４において、表示装置１の下面に取付板４の勘合部１ｅ、１ｆがそなえられており、取付板４を取り付けることにより表示装置１を直立して設置することが可能となる。
【産業上の利用可能性】
【００２１】
以上のように、本発明にかかる表示装置は一つの取付板により本体を壁面や据え置きとして使用できるため、各種取付が取付装置を無駄にすることなく低コストで実現することが可能となる。
【図面の簡単な説明】
【００２２】
【図１】（ａ）本発明の実施の形態１における表示装置の背面図（ｂ）本発明の実施の形態１における表示装置の設置状態を示す側面図
【図２】（ａ）本発明の実施の形態１における表示装置の本体の背面図（ｂ）本発明の実施の形態１における表示装置の取付板の構成図
【図３】本発明の実施の形態１における表示装置の据置図
【図４】（ａ）本発明の実施の形態２における表示装置の側面図（ｂ）本発明の実施の形態２における表示装置の背面図
【図５】従来の表示装置の取付図
【符号の説明】
【００２３】
１ｃ  操作部（操作手段）
１ｄ  表示部（表示手段）
１ｇ  インターフェース（接続手段）
２  第１の取付板片
２ａ、２ｂ  取付孔
３  第２の取付板片
４  取付板
【図１】
2005243891.tif 000003
【図２】
2005243891.tif 000004
【図３】
2005243891.tif 000005
【図４】
2005243891.tif 000006
【図５】
2005243891.tif 000007
(57)【要約】      （修正有）【課題】棒型蛍光灯の照明角度及び光量等を可変にして、直接照明からソフトな関節照明に任意に変える。【解決手段】棒型蛍光灯１の照明器具の外側ロール型遮光筒２を電動回転させ、照明角度を自在に変える。【選択図】図１
2005243594.tif 000002
【特許請求の範囲】
【請求項１】
ロール型回転式照明器具
【発明の詳細な説明】
【技術分野】
【０００１】  本発明は、棒型蛍光灯の照明光を蛍光灯外側の遮光筒を回転させて、蛍光灯の照明方向、光量を自在に調整する事の出来る器具。
【背景技術】
【０００２】  従来の棒型蛍光灯照明器具は方向、光量等が固定器具であるが為に常に一定で、それらの方向等の調整は器具の取付け位置を変えるか、別に遮光板を取付け光量を加減する等であった
【特許文献１】  該当文献見当たらず
【非特許文献１】  該当文献見当たらず
【発明の開示】
【発明が解決しようとする課題】
【０００３】  本発明では照明器具の取付け位置等を変える事なく、且つ別の遮光板等で光量を加減する事なく調整出来る器具である。
【課題を解決するための手段】
【０００４】  （イ）棒型蛍光灯の外側に蛍光灯より長めのロール型遮光筒を組み込む。
（ロ）外側ロール型遮光筒は硬質プラスッチク製か、ガラス製でその半周は透明で残りの半周は遮光カラー塗料を塗布してある。
（ハ）外側ロール型遮光筒は電動回転方式になっている
【発明の効果】
【０００５】  本発明のロール照明器具は主として室内照明器具で、取付け位置はその特質から室内壁面で天井に近い方が望ましく、室内を明るく照らしだす直接照明効果から、外側ロール型遮光筒を回転させる事により、照明方向、光量等が調整され最終的に間接照明の効果も得ることが可能である
【発明を実施するための最良の形態】
【０００６】  棒型蛍光灯固定器具の外側にロール型遮光筒を組み込み、そのロール型遮光筒が棒型蛍光灯の外周を回転する構造で、回転は歯車回転装置とマイクロモーターによって電動回転し、操作は無線リモートコントロール方式を採用している。
【図面の簡単な説明】
【０００７】
【図１】  本発明のロール照明器具を示した側面断面図である。
【図２】  本発明のロール照明器具の駆動部断面図、中間部断面図、軸受部断面図を示したものである。
【図３】  蛍光灯の照明範囲を示した図面である。
【符号の説明】
【０００８】      １    棒型蛍光灯
２    外側ロール型遮光筒
３    蛍光灯差込金具
４    ロール型遮光筒ホルダー
５    ロール型遮光筒ホルダー組込ナット
６    蛍光灯本体固定軸
７    軸受
８    駆動歯車類
９    駆動マイクロモーター
１０  照明器具取付台及び配線部品収納箱
１１  固定遮光板
【図１】
2005243594.tif 000003
【図２】
2005243594.tif 000004
【図３】
2005243594.tif 000005
(57)【要約】【課題】  ランフソケット４０を対角方向に使用すると、バランスが悪くなり、天井７０面と枠３０との隙間ができる。これを除く。【解決手段】  本体装着用の２箇所の取付けばね５０と直線上にランプソケット４０を配置することで片側の取付けばね５０に荷重が掛かり、器具本体１０の重量バランスとれる。このことにより器具本体１０は傾かないので天井７０と枠３０との間に隙間が出ない。  また取付けばね５０を固定する部分を本体としてランプソケット４０を取付けるため、ランプソケット取付台が不要となることから部品点数が軽減する。【選択図】    図１
2005243597.tif 000002
【特許請求の範囲】
【請求項１】
帯状金属板を変形コ字形に曲成した下向き開放形の器具本体を備え、前記器具本体の内側に配置した下向きに開放形の反射笠を備え、前記器具本体における一方の足片部の高所に固定されたランプソケットを備え、前記反射笠に前記ランプソケットの一部を笠内に没入させるためのソケット窓を形成し、前記反射笠の内部に配置されかつ前記ランプソケットに着脱自在に装着される片口金形の光源を備え、前記反射笠における周縁部を含むドーナツ形の枠材を備え、前記器具本体における一対の足片部のそれぞれに固着されたばね材を備え、前記各ばね材は固着位置から下方寄りに垂下しその先が上向きに転向して自由端となる形状であり、天井部材における取付け孔周縁部を前記枠材・前記各ばね材で上下の側から挟持するようにして天井に装着されることを特徴とするダウンライト。
【発明の詳細な説明】
【技術分野】
【０００１】  本発明は本発明ダウンライトに関する。特に、その天井埋め込み孔への装着構造に関する。
【背景技術】
【０００２】  ダウンライトを天井に装着するには本体左右二箇所の取り付け板ばねを使い、器具本体を天井に引き上げて装着する。浅形で器具本体の高さが低い器具の場合は、ランプソケットを横方向より取りつけるため、磁気性の重いランプソケットが取り付けばねと対角に着いていると、バランスがとれず、本体がランプソケットの重さで傾いてしまい天井面と枠との間に隙間ができてしまう。
【発明の開示】
【発明が解決しようとする課題】
【０００３】  以上のごとく、ランフソケットを対角方向に使用すると、バランスが悪くなり、天井面と枠との隙間ができる。本発明の目的はこれを解決することである。
【課題を解決するための手段】
【０００４】  本発明においては、本体２箇所に設置されている取付けばねの片側の高所にランプソケットを配置し、取付けばねの片側に重量を移し対角線のバランスをとることで本体が傾かないため、枠と天井面との隙間が出ないように改善した。
【発明の効果】
【０００５】  本発明は、本体装着用の２箇所の取付けばねと直線上にランプソケットを配置することで片側の取付けばねに荷重が掛かり、器具本体の重量バランスとれる。このことにより器具本体は傾かないので天井と枠との間に隙間が出ないように改善される。
また取付けばねを固定する部分を本体としてランプソケットを取付けるため、ランプソケット取付台が不要となることから部品点数の軽減の効果がある。
【発明を実施するための最良の形態】
【０００６】  本発明の実施形態を図１より説明する。器具本体１０は帯状金属板を変形コ字形本体１１と前記本体１１の内側下向きに開放形の反射笠２０と前記反射笠２０の周縁部を含むドーナツ形の枠３０を備えている，前記本体１１の高所にはランプソケット４０が備わっていて前記反射笠２０には前記フンフソケット４０の一部を笠２０内に没入させるためのソケット窓２１が形成れているため、笠２０内にランプ６０が自在に装着できる。前記本体１１の一対の足片部１２にそれぞれ固定された取付けばね５０が固定位置から下方寄りに垂下しその先が上向きに転向して自由端となる形状であり、天井７０の取付け孔７１周縁部を前記枠３０・前記取付けばね５０で上下の側から挟持するようにして天井に装着されるため、器具本体１０は左右のバランスを保てる効果がある。
【図面の簡単な説明】
【００１０】
【図１】本発明ダウンライトの天井を含めた断面図である。
【符号の説明】
１０：器具本体、１１：変形コ字形本体、１２：足片部、２０：反射笠、３０：枠、４０：ランプソケット、５０：取付けばね、６０：ランプ、７０：天井、７１：取付け孔
【図１】
2005243597.tif 000003
(57)【要約】      （修正有）【課題】非常用照明器具の点検操作を容易な作業とする。【解決手段】点検スイッチの引き紐２０の先端に設けたリング状のツマミ３０に磁力を持たせ、またツマミ３０をＬ形に曲げて器具本体に吸着させることで着脱自在にツマミ３０を係止し、その動きを止めることで点検操作を容易にする。また、ツマミがぶら下がっていないので一般器具と同等となり意匠面で優れている。また、低天井の場合であっても、邪魔にならない。【選択図】図２
2005243596.tif 000002
【特許請求の範囲】
【請求項１】
長尺な器具本体を備え、前記器具本体から垂下される点灯制御用引き紐を備え、前記点灯制御用引き紐の末端部に装着されるマグネットを備え、前記点灯制御用引き紐を長尺な前記器具本体に沿って這わせた状態で前記マグネットを該器具本体に着脱自在に固着可能であるこることを特徴とする直管形蛍光灯器具。
【発明の詳細な説明】
【技術分野】
【０００１】  本発明は、本発明は、建築基準法に定められた非常用照明器具の点検時に使用する点検スイッチの引き紐２０先端に設けられているツマミ３０の構造に関する。
【背景技術】
【０００２】  図１に示すように、従来技術の点検スイッチの引き細部は引き細２０の先端にリンヴ状のツマミ３０を設け、器具本体１０の下方にぶら下げた状態でツマミ３０がを係止している。非常用照明器具の点検は図１に示す点検用具４０によってなされる。
前記点検作業は、係止したリング状のツマミ３０の穴３０−１に点検用具４０の鉤状に曲がった引っ掛け部４０−１を引っ掛けて行っているが、ツマミ３０の位置が高い位置にあることや係止しているため点検用具４０の引っ掛け部４０−１をツマミ３０の穴３０−に引っ掛けずらく点検作業が困難なものとなっている。
【発明の開示】
【発明が解決しようとする課題】
【０００３】  本発明の目的は前記非常用照明器具の困難な点検操作を容易な作業とすることである。
【課題を解決するための手段】
【０００４】  上記課題を解決するために、点検スイッチの引き細２０の先端に設けたリング状のツマミ３０に磁力を持たせ、またツマミ３０をＬ形に曲げて器具本体に吸着させることで着脱自在にツマミ３０を係止し、その動きを止めることで点検操作を容易にしたものである。
【発明の効果】
【０００５】  本発明は、点検スイッチの引き紐２０に設けたツマミ３０を器具本体に吸着させた事で、点検操作が容易にできる他、ツマミ３０がぶら下がっていないので一般器具と同等となり意匠面で優れている。また、低天井の場合であっても、邪魔にならないなどの利点がある。
【発明を実施するための最良の形態】
【０００６】  本発明の実施形態を図２・図３を用いて説明する。本発明は、点検スイッチのツマミ３０の中央部に穴３０−１を備え、前記ツマミ３０は磁力を持ち、形状はＬ形を呈する。
また、前記ツマミ３０は磁力により器具本体１０に着脱自在に係止される。実際の点検操行は、図２に示すように器具本体１０に係止したツマミ３０の穴３０−１に点検用具４０の先端に設けた鉤状の引っ掛け部４０−１を引っ掛けて操作する。
以上の様にツマミ３０が器具本体１０に動かない様に係止しているので、点検操作が容易にできる。
【図面の簡単な説明】
【００１０】
【図１】従来技術の点検操作を示す部分斜視図
【図２】本発明器具の点検操作を示す部分斜視図
【図３】そのツマミの詳細を示す斜視図
【符号の説明】
１０：照明器具本体
２０：点検スイッチ引き紐
３０：ツマミ
３０−１：ツマミの穴
４０：点検用具
４０−１：鉤の引っ掛け部
５０：照明器具のランプソケット
【図１】
2005243596.tif 000003
【図２】
2005243596.tif 000004
【図３】
2005243596.tif 000005
(57)【要約】      （修正有）【課題】ダウンライト照明器具における反射板２と天井材８との隙間発生を防止するための部品基盤と天井材８を繋ぐ部材を設けることを必要とせず、ダウンライト照明器具の取付けを容易にする。【解決手段】部品基板をソケット基板の縁から任意の角度で斜め下向きに曲げることで回転モーメントを小さくし、それにより反射板と天井材の間の隙間発生が防止され、その両者を繋ぐ部材を設ける必要がなくなる。その結果、ダウンライト照明器具の取付を容易にするとともに部品代、部品取付工数の低減をすることができる。【選択図】図１
2005243598.tif 000002
【特許請求の範囲】
【請求項１】
下面側に開口し側面にランプ導入孔を穿設した反射笠を備え、前記反射笠の頂部に連結されかつ水平に配置されるソケット基板を備え、前記ソケット基板に固定されるソケットを備え、前記ソケットを前記ランプ導入孔に対向するように配置し、主発光部が前記反射笠内に位置し口金部が前記ソケットに着脱自在に装着される片口金形ランプを備え、前記ソケット基板の縁から斜め下向きに延在される部品基板を備え、前記部品基板の下面側に配置する点灯用部品を備え、前記反射笠の一方の側面下側と他方の側面下側に装着される都合一対の取付金具を備え、前記一対の取付金具を前記部品基板側に寄せて互いに非対称となるように配置し、
以上のように構成されるダウンライトとこれを装着する天井材を備え、前記天井材にダウンライト取付孔を穿設し、前記ダウンライトのほぼ全部を下側から前記ダウンライト取付孔へ挿入し、前記一対の取付金具を前記ダウンライト取付孔の縁部に着脱自在に係合し、前記部品基板および点灯用部品を前記天井材に触れないように離し、その両者を繋ぐ部材を設けないことを特徴とするダウンライト装置。
【発明の詳細な説明】
【技術分野】
【０００１】  本発明はダウンライト装置に関するものである。特に、部品基盤および点灯用部品を天井材に触れないように離し、その両者を繋ぐ部材を設けないダウンライト照明器具の部品基盤の構造に関するものである。
【背景技術】
【０００２】  従来のこの種装置の部品基盤の構造は天井材に対し平行であるので、ダウンライト照明器具の重心と支点の距離が長くなり、同時に回転モーメントが大きくなり、その結果、取付金具だけでは回転モーメントに耐えられなく、反射板と天井材との間に隙間が生じる場合があった。それゆえ部品基盤と天井材を繋ぐ部材を設ける必要があり、部品基盤に部材を設けた場合、ダウンライト照明器具の取付けに難が生じるなどの問題があった。【０００３】  そのため、部品基盤をソケット基盤の縁から任意の角度で斜め下向きに曲げを行うことで支点と重心との距離を短くし、同時に回転モーメントを小さくすることにより、部品基盤と天井材を繋ぐ部材がなくても、反射板と天井材の間に生じる隙間発生を防止することが出来る。その結果部品基盤と天井材を繋ぐ部材を設ける必要がなくなり、ダウンライト照明器具の取付けを容易にすることができる。
【発明の開示】
【発明が解決しようとする課題】
【０００４】  本発明の目的は、ダウンライト照明器具における反射板と天井材との隙間発生を防止するための部品基盤と天井材を繋ぐ部材を設けることを必要とせず、ダウンライト照明器具の取付けを容易にすることである。
【課題を解決するための手段】
【０００５】  本発明においては、以上の課題を解決するために、部品基盤をソケット基盤の縁から任意の角度で斜め下向きに曲げる。
【発明の効果】
【０００６】  本発明は、部品基盤をソケット基盤の縁から任意の角度で斜め下向きに曲げることで回転モーメントを小さくし、それにより反射板と天井材の間の隙間発生が防止され、その両者を繋ぐ部材を設ける必要がなくなる。その結果ダウンライト照明器具の取付けを容易にするとともに部品代、部品取付工数の低減をすることが出来る。
【発明を実施するための最良の形態】
【０００７】  本発明装置の実施形態を図１・図２・図３を用いて説明する。本発明に係るダウンライト照明器具は図１に示す通り部品基盤１を備え、部品基盤１の前部に下面側に開口し側面にランプ導入孔７を穿設した反射板２を備える、部品基盤１に対しほぼ垂直に固定されるソケット基盤４を備え、ソケット基盤４に固定されるソケット５を備え、ソケット５をランプ導入孔７に対向するように配置し、部品基板１の下面側に配置する点灯用部品３を備え、点灯用部品３の右隣に配置する端子台１０を備え、反射板２の一方の側面下側と他方の側面下側に固定される都合一対の支柱６を備え、一対の支柱６を部品基板１側に寄せて互いに非対称となるように配置し、支柱６の溝に上下にスライド可能な取付金具１１を備える。【０００８】  図２に示すように、点灯用部品３および端子台１０およびソケット基盤４およびソケット５が装着されているので部品基盤１の後方にある重心Ａ２に下向きに荷重ＭＧ２がかかり、支点Ｂ２周りに回転モーメントＭ２が生じる。そのため反射板２の後方には下向きに力がはたらき、天井材８と反射板２の間であるＣ２部に隙間が生じる。このような問題を解決するため従来は、図３に示すように部品基盤１の後部に天井材８と繋ぐ部材９を設けて、部品基盤１の後方に下向きにかかる荷重ＭＧ３を低減することにより、支点Ｂ３周りに生じる回転モーメントＭ３を低減し、Ｃ３部に生じる隙間発生を防止していた。しかし、図１に示すようにソケット基盤４の縁から任意の角度で曲げを設けると、部品基盤１の後方にある重心Ａ１と支点Ｂ１との距離Ｌ１が図２に記載するＬ２より短くなるため、支点Ｂ１周りに生じる回転モーメントＭ１はＭ２より小さくなり、Ｃ１部における隙間発生を防止することができ、部材９を必要としない。【０００９】  以上より、天井材８と反射板２の間に生じる隙間発生の防止のために、部品基盤１と天井材８を繋ぐ部材９を設けるという方法を用いないダウンライト照明器具の構造を提供することができる。
【図面の簡単な説明】
【００１０】
【図１】本発明に係る部品基盤をソケット基盤の縁から任意の角度に曲げを設けた場合の側面図である。
【図２】その部品基盤が水平な場合の側面図である。（部材９なし）
【図３】その部品基盤が水平な場合の側面図である。（部材９あり）
【符号の説明】
【００１１】  １：部品基盤
２：反射板
３：点灯用部品
４：ソケット基盤
５：ソケット
６：支柱
７：ランプ導入孔
８：天井材
９：部材
１０：端子台
１１：取付金具
【図１】
2005243598.tif 000003
【図２】
2005243598.tif 000004
【図３】
2005243598.tif 000005
(57)【要約】【課題】    停電が起こった時に停電を検知し内蔵されている機械式駆動機構を起動し発電機構を動作させ照明機能を動かす。これにより本照明器具は外部の電力や乾電池等を必要とせずに明かりを提供する。【解決手段】  照明器具本体（１）内に交流電源給電停止検出手段（２）と機械式駆動手段（３）と発電整流手段（４）と発光手段（５）とを備える事を特徴とする。【選択図】  図１
2005243593.tif 000002
【特許請求の範囲】
【請求項１】
一般交流電源の供給停止を検出する機能を内蔵した照明器具。
【請求項２】
照明用電源に交流電源や乾電池を使用せず機械式駆動機構を駆動源とした発電機構を内蔵した照明器具。
【請求項３】
上記請求項１，２を組み込む事で構成される照明器具。
【発明の詳細な説明】
【発明の詳細な説明】
【技術分野】
【０００１】  この発明は、自動的に交流電源の入力停止を検知すると内蔵されている機械式駆動機構により駆動される発電機構により発生した電力を使用して照明を行う照明器具に関するものである。
【背景技術】
【０００２】  従来、停電を検知するには照明が切れた事を人間が判断し非常用の照明器具を動作させ、明かりを得ていた。又照明器具は乾電池による電力で照明を行っていた。
【発明が解決しようとする課題】
【０００３】  これには次のような欠点があった。
停電を検知するのに人間が介在する為一時照明が消灯する時間があるので人間を不安にし、非常用照明器具を探すのに時間が掛かった。又非常用の照明器具は照明の電力源として乾電池を用いるのが多かった。
乾電池を使うのは地球環境にとっては負担の大きなことであるし、乾電池が無い時は非常用の照明器具としての働きをなさないと言う事態が発生している。
本発明はこれらの欠点を無くす為になされたものである。
【課題を解決するための手段】
【０００４】  照明器具本体（１）内に交流電源給電停止検出手段（２）と機械式駆動手段（３）と発電整流手段（４）と発光手段（５）とを備える。
本発明は以上の構成によりなる非常用照明器具である。
【発明を実施するための最良の形態】
【０００５】  以下、本発明の実施の形態について説明する。
照明器具本体（１）内に備えられた交流電源給電停止検出手段（２）で停電が感知されると機械式駆動手段（３）が動作を開始する。
機械式駆動手段（３）が動作すると発電整流手段（４）が動作を開始し一定の電力を発電する。
発電手段（４）が動作すると発光手段（５）により照明が開始される。
本発明は以上のような構造であり停電の発生を照明器具が検出し自動的に照明動作を開始する。又乾電池を使用していないので電池切れ等の心配がない。
【発明の効果】
【０００６】  交流電源給電停止を自動的に検出するので従来の様に暗くなって照明器具を探し、それから照明を点灯する必要が無く本発明の非常用照明器具は瞬時に照明を開始する。
本発明の非常用照明器具は機械式駆動機能で内蔵されている発電機能を動作させるので乾電池等の電力供給を必要としないのでいつでもどこでも使用することが出来る様になる。
【図面の簡単な説明】
【図１】  本発明のブロック図である。
【符号の説明】
（１）  停電検出付発電機能付非常照明器具の本体
（２）  交流電源給電停止検出手段
（３）  機械式駆動手段
（４）  発電整流手段
（５）  発光手段
【図１】
2005243593.tif 000003
(57)【要約】【課題】本発明の課題は、一つの排気システムだけで、非常に簡単な構造で低真空ＳＥＭを実現することにある。【解決手段】本発明は排気ポンプ５から試料室３への排気経路６の途中に一つの真空バルブ７を設けることで試料室３と電子銃室１の真空度を個別に調整するものである。すなわち排気の途中で当該真空バルブ７を閉じれば試料室部３の排気はほとんど停止するのでその気圧が長く保たれ電子銃室１はその後排気が進んで高真空状態になる。【選択図】        図１
2005243587.tif 000002
【特許請求の範囲】
【請求項１】
オリフィスによって試料室の真空度を低真空に電子銃室を高真空に保つことが可能な低真空走査電子顕微鏡（SEM）に於いて、１つの真空排気システムで電子銃部室と試料室を別々に排気する排気経路を有し、試料室側の排気経路の途中に真空バルブを設けたことを特徴とするＳＥＭ。
【発明の詳細な説明】
【技術分野】
【０００１】
本発明は、低真空ＳＥＭの排気システムに関するものである。
【背景技術】
【０００２】
一般の低真空ＳＥＭでは電子銃室と試料室を別々の排気システムで真空引きしており、２式の排気システムを必要とした。また特許公開平８−１３８６０３に示されたように１式の排気システムで別々の真空度に設定する試みもあるが多くの真空バルブと複雑なバルブ操作を必要とし期待するほどのコスト減には繋がらなかった。
【特許文献１】特開平８−１３８６０３
【発明の開示】
【発明が解決しようとする課題】
【０００３】
本発明が解決しようとする問題点は一つの排気システムで、非常に簡単な構造で低真空ＳＥＭを実現することにある。
【課題を解決するための手段】
【０００４】
本発明は真空ポンプから試料室への排気経路の途中に一つの真空バルブを設けることで試料室と電子銃室の真空度を個別に調整するものである。すなわち排気の途中で当該真空バルブを閉じれば試料室の排気はほとんど停止するのでその気圧状態が長く保たれ電子銃室はその後排気が進んで高真空状態になることを利用する。
【発明の効果】
【０００５】
本発明によれば非常に低コストでしかも小型の低真空ＳＥＭが実現できる。低価格の超小型ＳＥＭの構造として最適である。低真空SEM用途では、厳密な真空度の設定が必要でなくおおよその真空度が設定できれば良い場合が多く、そのような場合に有効である。
【実施例】
【０００６】
図１は、本発明装置の１実施例の構成図であって、電子銃室１、電子線鏡筒部２、試料室３でＳＥＭ鏡体部が構成され電子銃室１と試料室２が排気管６で真空ポンプ５に繋がれている。試料室３に電子線が入射する部分にはオリフィス４があって気圧差を維持できるようになっている。また試料室３に繋がる排気管６の途中に真空バルブ７が設けてあり真空計が電子銃部と試料室部にそれぞれ装着されている。
【０００７】
まず真空バルブ７が開いている状態で真空排気を開始する。徐々に気圧が下がり試料室３を例えば100Paに設定したい場合、試料室用真空計９が１００Paに達したら真空バルブ７を閉じる。すると試料室はそれ以上の排気が行なわれないのでその真空度を維持する。電子銃部はさらに排気がすすんで０．００１Pa程度まで真空度があがりSEM使用可能状態になる。試料からは多少のアウトガスが出るので真空度を下げようとするがオリフィス４を介して排気される部分もあるのでそれほど真空度は下がらない。真空バルブ７に適当な排気抵抗を持たせれば試料室の排気経路からも真空排気可能である。また真空計は電子銃室用真空計８を用いれば試料室用真空計９は無くても実用上差し支えないので廉価版の低真空ＳＥＭでは省いても良い。
【０００８】
真空ポンプ５はターボ分子ポンプが望ましい。その理由を以下に述べる。例えば試料室の真空度を１００Paに設定する場合通常の真空ポンプで引くと１００Pa近傍では非常に高速で真空度が下がっていくので真空バルブ７を閉める動作が間にあわない場合が多い。このような場合、ターボ分子ポンプの回転数を下げて低速のスタンバイモードで運転させれば比較的ゆっくり真空度が下がる。その間に真空バル７を閉じればよい。バルブを閉じる動作期間中はターボ分子ポンプの運転を停止しても良い。
【図面の簡単な説明】
【０００９】
【図１】図１は本発明の一実施例を示した説明図である。
【符号の説明】
【００１０】
１    電子銃室
２    電子線鏡筒部
３    試料室
４    オリフィス
５    真空ポンプ
６    排気管
７    真空バルブ
８    電子銃室用真空計
９    試料室用真空計
【図１】
2005243587.tif 000003
(57)【要約】      （修正有）【課題】傘の柄の先端に懐中電灯を設けた、懐中電灯つき傘の柄を提供する。【解決手段】傘の柄の先端に懐中電灯を設け、水平から斜め前、足元と３段階に可動する事を特徴とする。【選択図】図１
2005243589.tif 000002
【特許請求の範囲】
【請求項１】
傘の柄の先端に可動式の懐中電灯を設けた懐中電灯つき傘の柄。
【発明の詳細な説明】
【発明の詳細な説明】
【０００１】  ［発明の属する技術分野］
この発明は、傘の柄の先端に可動式の懐中電灯を設けた懐中電灯つき傘の柄に関するものである。
【０００２】  ［先行技術情報］
手持ち式傘に取り付け可能な構造を持つ電池式懐中電灯
【０００３】      ［特許文献１］特許公開平９−２８２９０４
【０００４】  ［発明が解決しようとする課題］
傘と懐中電灯を同時に片手でもてないという従来の欠点を無くするものである。
【０００５】  ［課題を解決するための手段］
傘の柄の先端部に懐中電灯をピンで連結する。
【０００６】  ［発明の実施の形態］
以下、本発明の実施の形態について説明する。
傘の柄（１）と懐中電灯（３）の２ピース構造とし（２）のピンで連結する。（４）バネと（５）ストッパーにより正面から斜め前、足元と照らす方向を３段階に変えられる。
【０００７】  ［発明の効果］
夜道で足元から正面までを照らす事が出来ることにより、自他共の安全性の向上につながる。
【図面の簡単な説明】    ［図１］
本発明の分解斜視図である。
［図２］
本発明の斜視図である。
［符号の説明］
１  傘の柄
２  ピン
３  懐中電灯
４  スプリング
５  ストッパー
【図１】
2005243589.tif 000003
【図２】
2005243589.tif 000004
(57)【要約】【課題】本発明は防雨性能を保ちながら部品点数を削減した回路遮断器収納箱を提供することを目的としている。【解決手段】本発明に係る回路遮断器収納箱は、カバー６には、窓孔周縁に対向させた防雨用爪７と、箱体本体へ固定するための取り付け用爪８とが設けられ、カバー６の窓孔周縁には防雨用爪７が係止可能である溝１１と、取り付け用爪７が係止可能である係止孔１０とを形成し、窓孔周縁に設けられた溝１１の少なくとも二辺の溝１１には、傾斜を付けることを主な特徴とする。【選択図】図４
2005243348.tif 000002
【特許請求の範囲】
【請求項１】
少なくとも前面に開口を施した箱体本体と、該箱体本体に収納した回路遮断器と、前記開口を施蓋する扉体とから成り、該扉体に前記回路遮断器が透視可能であるような窓孔を設け、該窓孔をカバーで施蓋する回路遮断器収納箱において、前記カバーには、前記窓孔周縁に対向させた防雨用爪と、前記箱体本体へ固定するための取り付け用爪とが設けられ、前記カバーの窓孔周縁には前記防雨用爪が係止可能である溝と、前記取り付け用爪が係止可能である係止孔とを形成し、前記窓孔周縁に設けられた溝の少なくとも二辺の溝には、傾斜を付けることを特徴とする回路遮断器収納箱。
【発明の詳細な説明】
【技術分野】
【０００１】
本発明は、少なくとも前面に開口を施した箱体本体と、箱体本体に収納した回路遮断器と、開口を施蓋する扉体とから成り、扉体に回路遮断器が透視可能であるような窓孔を設け、窓孔はカバーで施蓋する回路遮断器収納箱に関するものである。
【背景技術】
【０００２】
図４に示すように、回路遮断器収納箱３１は、箱体本体３２に回路遮断器３３を収納し、前面開口を扉体３４で施蓋する。扉体３４には窓孔３５が設けられている。従来の回路遮断器収納箱３１では、雨水が浸入しないように窓孔３５に防雨カバー３６を取り付けるには、扉体３４の内側からねじ止めし、雨水の浸入を防ぐと共に、外部から回路遮断器の操作が行えないようにしていた。
【特許文献１】特開２０００−０１１８３９号公報
【特許文献２】特開２０００−３５７４４５号公報
【発明の開示】
【発明が解決しようとする課題】
【０００３】
しかしながら、上記従来技術におけるカバーの取り付け方法では、取り付けに手間がかかり作業時間が長くなってしまうという欠点があった。また、小さなねじであるため、紛失の虞があった。
【課題を解決するための手段】
【０００４】
そこで本発明は、防雨性能を保ちながら部品点数を削減した回路遮断器収納箱を提供することを目的とし、その構造は、カバーには、窓孔周縁に対向させた防雨用爪と、箱体本体へ固定するための取り付け用爪とが設けられ、カバーの窓孔周縁には防雨用爪が係止可能である溝と、取り付け用爪が係止可能である係止孔とを形成し、窓孔周縁に設けられた溝の少なくとも二辺の溝には、傾斜を付けることを特徴とする。
【発明の効果】
【０００５】
本発明に係る回路遮断器収納箱は、カバーには、窓孔周縁に対向させた防雨用爪と、箱体本体へ固定するための取り付け用爪とが設けられ、カバーの窓孔周縁には防雨用爪が係止可能である溝と、取り付け用爪が係止可能である係止孔とを形成し、窓孔周縁に設けられた溝の少なくとも二辺の溝には、傾斜を付けるため、ねじを用いずにカバーが取りつけ可能で、部品点数を削減できると共に、作業性を向上させ加工費も低減することができる。また、ねじの使用が不要になったため、部品の紛失防止となる。
【発明を実施するための最良の形態】
【０００６】
部品点数を削減し製造コストを低減するという目的を防雨性能を損なわずに実現した。
【実施例１】
【０００７】
本発明に係る回路遮断器収納箱の実施例を図１〜図４の添付図面に基づいて説明する。
【０００８】
回路遮断器収納箱１は、樹脂等の弾性を持つ材料で形成され、前面に開口を有する箱体本体２に回路遮断器３を配置し、開口は扉体４で施蓋して構成される。扉体４の略中央部には窓孔５を設け、内部に配置された回路遮断器３の動作状態等を透視できるようにしている。窓孔５にはカバー６を取り付けて雨水の浸入を防いだり、外側からカバー６を取り外し回路遮断器３を操作できないようにしている。
【０００９】
カバー６には窓孔の周縁に対向させ防雨用爪７を形成し、カバー６の両端の略中央部には取り付け用爪８を形成する。取り付け用爪８の先端は鉤状の係止部９を形成する。一方カバー６には取り付け用爪８が係止可能であるような係止孔１０を設け、防雨用爪７に対向する位置には溝１１を形成する。窓孔５の周縁に設けられる溝１１は、例えば左右二辺等四辺のうち少なくとも二辺は、傾斜を付けて形成する。
【００１０】
扉体４の窓孔５にカバー６を取り付けるときには、取り付け用爪８の係止部９が窓孔５端部に、防雨用爪７も溝１１端部に当接し爪７、８の弾性により矢印Ａ方向にたわみながら嵌め込まれる。取り付け用爪８が奥まで挿入され係止部９が窓孔５端部に係ると、また弾性により爪７、８が元の位置に戻ろうと変形するため、溝１１に防雨用爪７が密着し固定され、防雨性能を保持する。
【産業上の利用可能性】
【００１１】
爪を係止させるだけでカバーを取り付けることができ、ねじが不要となるため部品の紛失の防止にもなり、扱いが容易になり、取り付け作業を簡単にしたい場合により使用しやすい。
【図面の簡単な説明】
【００１２】
【図１】本発明に係る回路遮断器収納箱を示す正面図である。（実施例１）
【図２】図１におけるＡ−Ｂ断面図である。（実施例１）
【図３】図１におけるカバーを示す側断面図である。（実施例１）
【図４】本発明に係るカバーの取り付け方法を示す説明図である。（実施例１）
【図５】従来技術における回路遮断器の正面図である。（実施例１）
【図６】図４におけるカバー裏面図である。（実施例１）
【符号の説明】
【００１３】
１      回路遮断器収納箱
２      箱体本体
３      回路遮断器
４      扉体
５      窓孔
６      カバー
７      防雨用爪
８      取り付け用爪
９      係止部
１０    係止孔
１１    溝
【図１】
2005243348.tif 000003
【図２】
2005243348.tif 000004
【図３】
2005243348.tif 000005
【図４】
2005243348.tif 000006
【図５】
2005243348.tif 000007
【図６】
2005243348.tif 000008
(57)【要約】      （修正有）【課題】優秀であり余り無くむずかしくなく可能。【解決の手段】実験で様々音質音色調整仕上げできる。【選択図】なし【特許請求の範囲】
【請求項１】
Ｈｉ−Ｆｉ音響関係、真空管音響用電力増幅器負帰還技術。
抵抗器の抵抗値を変えて音質音色調整可能である。
【発明の詳細な説明】
【技術分野】オ−デイオステレオ関係。
【背景技術】従来数種類の音響用電力増幅器の為の負帰還方法はあった。
【発明が解決しようとする課題】
音質音色をお好みに調整する。
【課題を解決するための手段】
カソ−ド電極と出力変圧器２次巻線を抵抗器で接続してその抵抗値により音質音色調整を実現する。
【発明の効果】
歪率低下と音色が性能優れる。つまり優秀である。
【発明を実施するための最良の形態】優秀変圧器とよい出力真空管と程良い抵抗器を使う。
【実施例】例えば、一般の音響装置。
【産業上の利用可能性】音響聴き楽しみ愛好者の趣向の多様化の時代である。音響聴きを生活の癒しとする時代に音質音色の趣向に合わせた音響装置の製造販売の必要を思い本発明を産業界提案する。
(57)【要約】      （修正有）【課題】魚釣で、魚の口の奥深くに掛った釣針を容易に外すことができるようにする。【解決手段】釣針はづし器で、道糸をガイドとして、針元を筒内に入れる針はづし器と釣針とが移動しないで針外し器の操作を確実に釣り針に伝えることができるようにする。【選択図】図７
2005333975.tif 000002
【特許請求の範囲】
【請求項１】
切欠の付いた円筒と付いてない円筒を組み合わせたものを作り、切欠を介して円筒内に針元を誘導し、回転させて針を外す。
【発明の詳細な説明】
【発明の詳細な説明】
【０００１】本発明は魚釣りにおいて主に魚の口奥に掛かった針はづし
【０００２】１を半回転すると５が４に合い道糸が円筒内に入り脱落することがな
【０００３】針はづしの先端を魚の口内の針掛かり部分にスライスさせ、針元を円筒内に誘導して針元も針の軸の背中が出て針先が３に固定する小さい針でも大きな針でも使用できる。〔従来の技術〕従来の針はづしわ魚の口をあけて針が掛かったところを見て、針の軸に掛けて外ずしていた、喉の奥に掛かって針の軸が見えづ、針元に掛かって道糸を傷づつけたり、道糸を押切っていた。〔発明の実施の形態〕夜るでも昼で魚の口の中を見ることなく道糸を張って口の奥におし込んで針をはづす。針が１に誘導され針先が３に固定するので、スムースにはずれ、外に掛かることなく、又円筒２の内径より大きな釣針でも楽に収納できる。
【図面の簡単な説明】
【図１】円筒１図の正面断面拡大図
【図２】円筒２図の断面拡大図
【図３】円筒５は背面の針元、軸の背を誘導する溝
【図４】４は道糸、針元、誘導溝
【図５】６は道糸の誘導溝、３は針端固定
【図６】正面完成断面図
【図７】実施例の正面図
【図１】
2005333975.tif 000003
【図２】
2005333975.tif 000004
【図３】
2005333975.tif 000005
【図４】
2005333975.tif 000006
【図５】
2005333975.tif 000007
【図６】
2005333975.tif 000008
【図７】
2005333975.tif 000009
(57)【要約】【課題】従来廃棄されていた出荷できない規格外の露地栽培生グリ−ンアスパラガスに熱処理加工を加えないで漬物として利用できるようにし、有効利用できるようにする。【解決手段】露地栽培生グリ−ンアスパラガスを部分的に皮を剥くことで美的感覚的にも綺麗になり加熱処理した３％の食塩水に１０時間から１５時間浸透させた後漬物固体に４日から５日間漬ける漬物の製造方法とした。前記漬物固体は、米１、麹１、塩０．５、辛子類、アルコ−ル類を主体としたものが好ましい。【特許請求の範囲】
【請求項１】
露地栽培生グリ−ンアスパラガスを得る過程で市場出荷規定に準じない、規格外（曲がり等の外観不良、長さ不足、重量不足等）の露地栽培生グリ−ンアスパラガスを原料として、従来過熱処理を原則としていた。
露地栽培生グリ−ンアスパラガスを部分的に皮剥きし、加熱処理した３％の食塩水に１０時間から１５時間浸けた後水切りし、漬物用固体に４日から５日間漬けることで露地栽培生グリ−ンアスパラガスを加熱処理しないことを特徴とする漬物の製造方法。
【請求項２】
露地栽培生グリ−ンアスパラガスを特徴とする請求項１記載の露地栽培生グリ−ンアスパラガスの漬物の製造方法。
【請求項３】
漬物用固体が米１、麹１、塩０．５、辛子類、アルコ−ル類を主体とするものであることを特徴とする請求項１又は２記載の漬物の製造方法。
【請求項４】
請求項３の漬物用固体により漬けあがった露地栽培生グリ−ンアスパラガスを表側及び裏側が透明を有する包装袋に入れ、包装を特徴とする包装方法工程。
【発明の詳細な説明】
【発明の詳細な説明】
【技術分野】
【０００１】本発明は、露地栽培生グリ−ンアスパラガスの過熱処理をしない漬物の製造方法に関するものである。
【産業上の利用分野】
【０００２】本発明は、根元から均一の形状に仕上げる露地栽培生グリ−ンアスパラガスの漬物の製造方法に関し、特に出荷できない規格外（曲がり等の外観不良、長さ不足、重量不足等）の従来食用とされなかったものを有効利用できるようにしたものである。
【背景技術】
【０００３】従来、加熱処理をしないで漬物にした露地栽培生グリ−ンアスパラガスはないとされている。【０００４】露地栽培生グリ−ンアスパラガスは、市場に出荷するための選別規格が大変厳しく，出荷できないものが多く出る。【０００５】この選別されて規格外となった露地栽培生グリ−ンアスパラガスは、従来有効に利用されていないという問題点があった。
【発明の開示】
【発明が解決しようとする課題】
【０００６】本発明が解決しようとする１つの課題は出荷できない規格外（曲がり等の外観不良、長さ不足、重量不足等）の露地栽培生グリ−ンアスパラガスを漬物としての露地栽培生グリ−ンアスパラガスを漬物として熱処理加工をしないで加工することのできる露地栽培生グリ−ンアスパラガスの漬物を提供することにある。【０００７】本発明が解決しようとする他の課題はこの発明では従来廃棄されていた規格外の露地栽培生グリ−ンアスパラガスの生の臭いを取り漬物として利用できるようにし、有効に利用できるようにする方法を提供することを課題にする。
露地栽培生グリ−ンアスパラガスは、漬物加工する場合、熱処理を加えなければならないならないという問題があった。一方調味液、調味固体が内部に浸透するのに時間が、かかる問題があった。【０００８】本発明は、以上のような従来の欠点を鑑み、露地栽培生グリ−ンアスパラガスの漬物に関するものができることを目的として次記について説明する。
【課題を解決するための手段】
【０００９】そのため、この発明では露地栽培グリ−ンアスパラガスを部分的に皮を剥き熱処理した３％の食塩水に１０時間から１５時間浸けた後水切りし、漬物固体に４日から５日間浸透させた露地栽培グリ−ンアスパラガスの漬物の製造方法とした。【００１０】露地栽培グリ−ンアスパラガスを部分的に皮を剥き３％の食塩水に１０時間から１５時間浸けることにより独特の生の臭いも消え残した皮の緑色部分も鮮明になり漬物固体に漬ける時に浸透しやすくなる。
【発明を実施するための最良の形態】
【００１１】以下、この発明の実施の形態について説明する。【００１２】この実施例では、秋田県横手市で生産する露地栽培生グリ−ンアスパラガスを使用した。【００１３】露地栽培生グリ−ンアスパラガスの漬物を製造する場合には、長さ２０ｃｍから２５ｃｍ、太さ直径１ｃｍからの２ｃｍの下部部分５ｃｍから７ｃｍの範囲部分の皮を剥いて柔らかい部分を露出させる。【００１４】次に下部部分５ｃｍから７ｃｍより上部を幅５ｍｍ程度を皮を残す部分と交互に上部に向かい長さ１５ｃｍから１７ｃｍの皮を剥く。【００１５】最先端部分より下部に向かい長さ５ｃｍ程度は完全に残す。【００１６】次に皮を剥いた露地栽培生グリ−ンアスパラガスを加熱処理した３％の食塩水に１０時間から１５時間浸けることが適当である。このとき皮の部分、身の部分も柔らかくなり皮の緑色も鮮明になる。【００１７】次に水切りした露地栽培生グリ−ンアスパラガスを米１、麹１、塩０．５、辛子類、アルコ−ル類を主体とした漬物固体に漬ける。【００１８】漬物固体の浸透時間は消費地の嗜好により決められるが４日から５日間が適当であり、前記の期間よりも短い場合は、漬物固体が浸透不十分になり味が薄すぎるものになり、長い場合は漬かりすぎになり、商品価値がなくなる。【００１９】このようにして製造された露地栽培生グリ−ンアスパラガスの生の漬物は、アスパラガス本来の成分（アミノ酸、ルチン、グルタチオ）を残しており、健康に良い食品となる。【００２０】また、露地栽培生グリ−ンアスパラガスの漬物の製造方法では、特に出荷できない、規格外（曲がり等の外観不良、長さ不足、重量不足等）の従来食用とされなかったものを原料として使用できるので安価に提供できるだけではなく、廃棄物が減少し廃棄物処理の手間が減少する。【００２１】出来上がった露地栽培生グリ−ンアスパラガスの漬物は、そのまま食することができるだけでなく、キムチと混ぜて食することもできる。
【発明の効果】
【００２２】この発明の露地栽培生グリ−ンアスパラガスの漬物の製造方法では、従来廃棄していた規格外のものを有効に利用できるようになる。
【００２３】また、この方法で製造された露地栽培生グリ−ンアスパラガスの漬物は、適度な歯応えがあって美味しいだけでなく栄養価の高い健康的な食品となる。
(57)【要約】【課題】従来の釣り針収納用の物は、大きく取り扱いの面倒な物であった。それを小型化し、尚かつ確実性を増した物である。【解決手段】小型化、軽量化し、尚かつ取り扱いが容易で、確実に取り扱う事が出来る様にした。【選択図】図１
2005333977.tif 000002
【特許請求の範囲】
【請求項１】
いか釣り用の釣り針及び疑似餌の収納方法の簡略化、小型化。
【請求項２】
深海魚の釣り針の取り付けの確実化、小型化。
【発明の詳細な説明】
【技術分野】
【０００１】この発名は、容易にしかも小型化された釣り針を効率的に収容をする為の新方法。
【背景技術】
【０００２】従来のいか釣りの針及び疑似餌の収納方法は、長さ１メートル前後、太さ直径５−６ｃｍ位のプラスティックの筒を７本位から１５本位束ねた物を使っていた為、持ち運び及び使用する際に大変な苦労をしていた。又深海魚用には磁石によって釣り針を固定する方法が取られていたが、釣り餌を付けると、海上では常に風がかなり吹いており、釣り針がしばしば風によって飛ばされてしまう。又、しばしば釣り糸がこんがらかってしまうという困難が有った。
【発明の開示】
【発明が解決しようとする課題】
【０００３】そこで、容易にいか釣り及び深海魚を釣る時でも容易に持ち運びが出来、しかも取り扱いが容易になる事を目的とした釣り針の収納方法を考える事にある。
【課題を解決する為の手段】
【０００４】図１の様にいか釣りの場合、折り畳んで持ち運ぶ時は全長が約２５−２６ｃｍの長さになり、使う時は折り畳み部分を延ばし、全長約３８ｃｍ位で使用出来る物である。釣り針は、約内径２ｃｍ前後のプラスティックの筒に、一度に７本から、１５本位迄収納する事が出来る。又、釣り針がスムースに出る様にする為に、筒の中に疑似餌と針を収納し、釣り糸を後部のバネの効果を持つ留め金を、釣り針の本数と同じだけ付け、釣り糸をこれに挟む。しかし、この挟まれた釣り糸はスムースに前方に出て行く事が出来る。この、２５−２６ｃｍのサイズは、容易にいか釣り用のクーラーボックスに収納出来るものである。又、深海魚の場合は、図２に示す様にプラスティックの筒の代わりに、海水に腐食されない金属等の板で作り、金属板の中間あたりにプレスにより切り越しを作り、これに釣り針を固定する。釣り餌を付けても、釣り針がしっかりと固定され、風等によって飛ばされる事はなく、前方にのみ飛び出す。サイズは、深海魚用のクーラーボックスに入る様に全長を６５−６７ｃｍにする。いか釣り用、深海魚釣り用共に竿立て用の器具によってしっかりと船べりに固定される。
【発明の効果】
【０００５】この発明により、いか釣り及び深海魚の釣りの為の手数がかなり簡単になり、同時に持ち運びが非常に楽になる。
【発明を実施する為の最良の形態】
【０００６】課題を解決する為に書いた方法が、ほぼこれに該当する。図１、図２，図３、図４にこれらを示す。
【０００７】「実施形態の効果」
これにより、釣り針の取り扱いが非常に楽になり、又持ち運びも従来のものに比べ、比較にならない程楽になる。
【図面の簡単な説明】
【０００８】
【図１】いか釣り用の釣り針の収納の図である。左はしの１２−１３ｃｍは釣り竿立て用の押さえられる部分である。これにより、この装置全体が固定される。内径２ｃｍ位のプラスティックの筒が、７本から１５本位並んである適当な間隔を空けて並んでいる。その筒を、海水に腐食されない板状の物によって挟み、前方は筒が口を開けており、後部は、塞がれており、バネ性を持った金属によって、釣り糸を半固定する様になっている。このバネ性の数は、筒の本数に同じである。筒には、図３に示される様に切り込みが入っており、ここに釣り糸を引っかける。一番右端の筒には、もう一つ切り込みが入っており、釣り糸全体がゆるむのを防ぐ。
【図２】深海魚用の釣り針収納の様子である。いか釣りの物と異なるのは、釣り針の収納の方法である。こちらの物は、台になる、海水に腐食されない物で、例えば金属を使用すれば、切り越しの技法により、爪を図４の様に作る。これにも後部に釣り糸を挟むバネ性の金属が釣り針を挟む物と同数取り付けられている。
【図３】いか釣り用の釣り針及び疑似餌の収納方法である。
【図４】深海魚用の釣り針の取り付け方法を示す。
2005333977.tif 000003
【図１】
2005333977.tif 000004
【図２】
2005333977.tif 000005
【図３】
2005333977.tif 000006
【図４】
2005333977.tif 000007